(57)【要約】      （修正有）【課題】一般家庭でも使用することのできるように操作性が良好であり、かつ頚椎だけではなく、腰椎、足首、膝関節及び手首等をも牽引して凝り及び痛みを緩和又は解消することができる身体牽引器具を提供すること。【解決手段】基板２と、前記基板上に移動可能に配設され、かつ身体を係止する身体係止部材４ａ，４ｂと、前記身体係止部材に接続され、かつ前記身体係止部材を牽引する牽引部材としての弾性部材５と弾性部材取付部６、とを備えることを特徴とする身体牽引器具。【選択図】図１
2009000168.tif 000002
【特許請求の範囲】
【請求項１】
基板と、
前記基板上に移動可能に配設され、かつ身体を係止する身体係止部材と、
前記身体係止部材に接続され、かつ前記身体係止部材を牽引する牽引部材とを備えることを特徴とする身体牽引器具。
【請求項２】
前記基板は、身体を載置できる長さを有することを特徴とする請求項１に記載の身体牽引器具。
【請求項３】
前記身体係止部材は、発泡した樹脂で形成された係止部を有することを特徴とする請求項１又は２に記載の身体牽引器具。
【請求項４】
前記牽引部材は、弾性力を調整することのできる弾性部材であることを特徴とする請求項１〜３のいずれか１項に記載の身体牽引器具。
【発明の詳細な説明】
【技術分野】
【０００１】
この発明は、身体牽引器具に関し、特に詳しくは、頚椎、腰椎、足首、膝関節及び手首等を牽引することにより、肩凝り及びヘルニアを緩和又は解消することのできる身体牽引器具に関する。
【背景技術】
【０００２】
特許文献１には、「中継紐（３）の一方の先端を家具または窓に固定具（５）で固定しもう一方を中継具（２）に接続し、中継具（２）に後頭部または足部を乗せ牽引する弾性帯（１）を接続した簡易型身体牽引具」が記載されており、該簡易型身体牽引具は、「肩凝り、頸椎ヘルニア、椎間板ヘルニア、頸椎（１１）胸椎（１２）腰椎（１３）腸骨（１５）の転位、坐骨神経痛に股関節痛等、あらゆる症状に対し本格的な治療を可能」にするという効果を奏すると記載されていた。
【０００３】
また、特許文献２には、「頚椎牽引装置において、一側が人体の肩部位を支持する第１支持台と、前記第１支持台に、人体の頚椎の長手方向にスライド可能に結合される第２支持台と、使用者の操作によって前記第２支持台を頚椎の長手方向に移動させる移動手段と、人体の後頭部が載せられる形態に形成され、一側に人体の頭と首の境界部位を支持する頭支持部が設けられ、前記第２支持台に一端が回動可能に結合される第３支持台と、使用者の操作によって前記第３支持台を、人体の首が傾けられる方向に、回動させる昇降手段とを含んでなることを特徴とする、頚椎牽引装置」が記載されており、該頚椎牽引装置は、「頚椎を前方に少し傾けながら伸展させるので、１番及び２番頚椎を覆っている喉頭蓋部を持ち上げながら伸展運動を行うことができ、伸展効果を七つの頚椎に均一に伝達することができる」と記載されていた。
【０００４】
上述の特許文献に記載された健康器具以外に、病院等の医療機関だけでなく、一般家庭でも使用でき、かつ簡便に肩凝り及びヘルニア等を緩和又は解消することのできる身体牽引器具が望まれていた。
【０００５】
【特許文献１】特開２０００−３４２６１３号公報
【特許文献２】特表２００６−５２５８４１号公報
【発明の開示】
【発明が解決しようとする課題】
【０００６】
この発明が解決しようとする課題は、一般家庭でも使用することができるように操作性が良好であり、かつ頚椎だけではなく、腰椎、足首、膝関節及び手首等をも牽引して凝り及び痛みを緩和又は解消することができる身体牽引器具を提供することである。
【課題を解決するための手段】
【０００７】
前記課題を解決するための手段として、
請求項１は、「基板と、
前記基板上に移動可能に配設され、かつ身体を係止する身体係止部材と、
前記身体係止部材に接続され、かつ前記身体係止部材を牽引する牽引部材とを備えることを特徴とする身体牽引器具」であり、
請求項２は、「前記基板は、身体を載置できる長さを有することを特徴とする請求項１に記載の身体牽引器具」であり、
請求項３は、「前記身体係止部材は、発泡した樹脂で形成された係止部を有することを特徴とする請求項１又は２に記載の身体牽引器具」であり、
請求項４は、「前記牽引部材は、弾性力を調整することのできる弾性部材であることを特徴とする請求項１〜３のいずれか１項に記載の身体牽引器具」である。
【発明の効果】
【０００８】
この発明によると、操作性が良く、かつ操作者が仰臥又は横臥した状態で頚椎、腰椎、足首、膝関節及び手首等を牽引することにより、例えば関節部に生じる凝り及び痛み等を緩和又は解消する身体牽引器具を提供することができる。
【０００９】
また、この発明によると、身体を身体係止部材で係止し、かつ基板に身体を載置することにより、牽引部材の牽引する力で基板がずれる状態を防ぐ身体牽引器具を提供することができる。
【００１０】
また、この発明によると、身体を身体係止部材に係止した場合に、身体の血流を妨げ難いので、より効率的な関節部等に生じる凝り及び痛みの緩和又は解消を行う身体牽引器具を提供することができる。
【００１１】
更に、この発明によると、操作者の関節部等に生じる凝り又は痛みの程度に応じて弾性力、すなわち身体を牽引する力を調整する身体牽引器具を提供することができる。
【発明を実施するための最良の形態】
【００１２】
この発明の身体牽引器具は、基板と身体係止部材と牽引部材とを備えてなる。
【００１３】
前記基板は、後述の身体係止部材と牽引部材とが取り付けられて成る。
前記基板において、身体係止部材と牽引部材とを取り付けることができる限り、その形状、大きさ及び材料等は特に制限されないが、好ましい態様を次に示す。
【００１４】
前記基板の形状及び大きさとしては、例えば矩形盤、円盤又は楕円盤等の形状を有し、かつ基板の大きさが操作者の背面と同程度、又は操作者の背面よりも大きい面積を有する基板を採用することができる。
【００１５】
また、前記基板の材料としては、木材、金属、プラスチック又はセラミックス等の種々の材料を用いることができる。
【００１６】
更に、前記基板の長さは特に限定されないが、前記基板の長さが操作者の身体を載置することのできる程度の長さ、例えば操作者が身体係止部材に頚部を載置した場合に、基板の端部が操作者の腰椎近傍に位置する程度の長さであるのが好ましい。このような長さを有する基板であると、基板に載置される操作者の肢体の自重が基板を押えつけることになり、後述の牽引部材の牽引する力によって基板がずれることがない。もっとも、基板が身体係止部材及び牽引部材を取り付けることのできる最小限の長さを有する場合でも、例えば頚部を載置した場合に操作者の肩部分にストッパーを取り付ける態様、基板の床面と接触する部分に滑り止めを取り付ける態様等を採用することによって、牽引する力で基板がずれることを適宜に防ぐことができる。
【００１７】
前記身体係止部材は、身体を係止することができる限り、その形状、大きさ及び材料は特に制限されない。
【００１８】
前記身体係止部材の形状としては、牽引部材に接続でき、かつ頚椎、腰椎、足首、膝関節及び手首等を身体係止部材に係止することにより、該身体係止部材に牽引力が加わり、身体及び関節部等を牽引することができる形状が好ましい。採用し得る身体係止部材の形状としては、例えば円柱状、半円柱状、矩形柱状、円筒状、半円筒状及び矩形筒状等を挙げることができる。
【００１９】
また、前記身体係止部材の大きさとしては、身体を係止できる限り特に制限されないが、操作者が就寝時に通常使用している枕程度の大きさが好ましい。
【００２０】
身体係止部材の材料には、該身体係止部材に身体を係止し、更に身体及び関節部等を牽引することができる限り適宜の材料を用いることができる。身体係止部材の材料としては、例えば木材、金属、プラスチック、セラミックス及び柔軟性部材等を挙げることができる。前記身体係止部材の材料として好ましいのは柔軟性部材であり、この柔軟性部材としては、樹脂組成物が発泡した発泡体、例えばスポンジ等及び紡績繊維、例えば木綿等を挙げることができる。特に好ましいのは、身体係止部材の身体に当接する箇所、すなわち係止部が柔軟性部材から成る態様である。これは、身体係止部材が硬質の部材から成る態様に比べて、身体及び関節部等を牽引する際に、身体の当接している箇所の血流を妨げることなく牽引できるので、身体及び関節部等の凝り又は痛み等をより短時間で効率的に緩和又は解消することができるからである。
【００２１】
もっとも、身体係止部材として、操作者が就寝時に使用している枕を用いても良い。
【００２２】
また、身体係止部材に身体を載置した場合に、牽引部材の牽引する力が大きいと、載置した身体が身体係止部材から離脱してしまうことがあるので、より確実に身体を身体係止部材に係止できるように、身体係止部材に固定具を設けても良い。身体係止部材に設けることのできる固定具としては、操作者が牽引する力で過大の負荷を受けることがない限り特に限定されないが、例えば頚部を身体係止部材に載置する際に操作者の額に架けるバンド等を挙げることができる。
【００２３】
前記牽引部材は、前記身体係止部材を牽引することができるように前記身体係止部材に取り付けられる部材であり、例えばバネ、ゴム等を用いることができる。また、前記身体係止部材から細糸等を延設し、かつ該細糸の先端に錘を取り付けることによって、錘にかかる重力が前記身体係止部材を牽引する力に変える態様を牽引部材に採用することもでき、更に、モータとラチェット機構又はカム等とを組み合わせて一定以上の牽引力が生じないようにした態様を牽引部材に採用することもできる。上述した牽引部材のうち、好ましい牽引部材の態様としては、操作性の向上を図ることのできるバネ、ゴム等の弾性部材が挙げられる。
【００２４】
更に前記牽引部材の好ましい態様としては、弾性力、すなわち前記身体係止部材を牽引する力を調整できる弾性部材を用いるのが好ましい。前記弾性部材の弾性力を調整することができると、操作者の関節部等に生じている凝り又は痛みの程度に応じて、牽引する力が調整できるので、この発明の身体牽引器具の操作性をより向上させ、かつ効率的な凝り又は痛みの緩和及び解消を図ることができる。
【００２５】
この発明の身体牽引器具の更なる態様として、身体係止部材に身体を係止した状態で、牽引部材の牽引する力の方向に沿って身体係止部材を前後進するように設計変更を行っても良い。この身体係止部材の前後進は、その前後進距離が限定されることはないが、通常０．５〜１．５ｃｍ、好ましくは１ｃｍ程度であれば良く、身体係止部材が前後進することによって、係止された身体又は関節部をほぐすマッサージ効果を得ることができ、関節部等の凝り及び痛みを緩和又は解消する時間を短縮することができる。
【００２６】
ここで、この発明の身体牽引器具の好ましい態様を、図面を用いて説明する。
【００２７】
図１に示されるこの発明の一実施例である身体牽引器具１ａは、基板２、脚部３、身体係止部材４ａ、係止部４ｂ、弾性部材５、弾性部材取付部６、把手７、支持板８、軌条部９及び留具１０を備えている。
【００２８】
この発明の一実施例である身体牽引器具１ａにおける基板２は、矩形盤であり、脚部３が一端部に取り付けられることによって、傾斜している。この脚部３は基板２に着脱自在に取り付けられており、脚部３を取り外すことにより基板２を水平に設置することもできる。なお、図１に示される脚部３は基板２に着脱自在に取り付けられているが、この発明の身体牽引器具においては脚部の収納構造、例えば折り畳んで基板内に収納できる脚部を設けて、基板の傾斜の有無を切り替えることのできる態様等を採用しても良い。該脚部３を基板２の一端部に取り付けることにより傾斜を設けたのは、操作者の使用感覚が良好になると共に、頚部を身体係止部材４ａの係止部４ｂに係止した際に、弾性部材５の牽引する力に加えて、牽引する力とは逆に作用する操作者にかかる重力も関節部の牽引に利用できるからである。脚部３は基板２の一端部だけではなく、他端部に取り付けられることもできる。脚部３が基板２の他端部に取り付けられると、係止する身体の重量が比較的小さい箇所、例えば足首及び手首等を身体係止部材４ａに係止した場合に、関節部等を牽引する力が過大となって身体係止部材４ａが係止した身体から抜け出る等の離脱状態が生じ難くなる。もっとも、脚部を設けないこの発明の身体牽引器具を構成することもできる。基板の設計変更として、この発明の身体牽引器具における基板の大きさが、長辺が２０〜２００ｃｍ、短辺が１０〜８０ｃｍ、厚みが０．１〜５ｃｍ程度と成るような態様を採用することができる。
【００２９】
身体係止部材４ａは、円柱形状であり、弾性部材５と弾性部材取付部６を介して連結されている。また、前記身体係止部材４ａは、把手７が取り付けられていると共に、基板２に付設されて成る支持板８に設けられている軌条部９に沿って移動することができる。図示しないが、身体係止部材４ａには、軌条部９に沿って移動できるように、軌条部９に嵌り込んだ案内部材が設けられている。
【００３０】
前記弾性部材５は、一端が弾性部材取付部６を介して前記身体係止部材４ａに連結され、他端が留具１０を介して基板に接続されている。これにより、静置状態から図１における基板２の他端部の方向に身体係止部材４ａを牽引すると、弾性部材５が伸長するので、静置状態に戻ろうとする弾性力で身体係止部材４ａが基板２の一端部の方向に牽引されることとなる。なお、図１においては前記牽引部材として、弾性部材であるコイルスプリングを用いている。この発明の身体牽引器具では、牽引部材を基板に埋設することにより、例えば身体係止部材に身体を係止する場合に、該牽引部材に毛髪又は肢体の一部が挟まれ難くなり、この発明の身体牽引器具の操作性及び安全性が向上するので好ましい。
【００３１】
身体係止部材４ａに取り付けられた把手７は、身体牽引器具１ａの操作性を向上させることのできる部材であり、操作者が弾性部材５の弾性力に抗して身体係止部材４ａを牽引し、身体を身体係止部材４ａに係止する際に、身体係止部材４ａを牽引し易くなる。なお、この把手７を設けることなく、身体牽引器具１ａを構成しても良い。
【００３２】
前記支持板８及び前記軌条部９は、身体係止部材４ａが図１における基板２の長手方向に円滑に移動することができるように設けられる部材である。両部材を設けることなく身体牽引器具１ａを構成しても良いが、前記支持板８及び前記軌条部９を設けると、身体係止部材４ａの移動方向が規制されるので、身体を身体係止部材４ａに簡便に係止することができ、身体牽引器具１ａの操作性を向上させることができる。なお、部品点数削減の見地から、この発明の身体牽引器具の変形例として、支持板を設けることなく、軌条部を基板に埋設する態様を採用することもできる。更に言うと、基板に傾斜を付加することなく、支持板を設けずに、軌条部を基板に埋設し、かつ前記牽引部材も基板に埋設すると、例えば身体係止部材に操作者の腰部を載置して腰椎を牽引する場合に、操作し易くなるので好ましい。
【００３３】
図２に示すのは、弾性部材の弾性力を調整する態様として、図１に示される身体牽引器具１ａよりも弾性部材を多く取り付けた態様を採用した身体牽引器具１ｂである。弾性部材の数以外は、図１に示した身体牽引器具１ａと同様に構成されている。図２に示される身体牽引器具１ｂのように弾性力を調整することができる態様を採用すると、操作者の凝り及び痛みの程度に応じて身体を牽引する力が調整できるので、様々の凝り及び痛みに対応でき、操作性が向上する。この発明の身体牽引器具に設けられる弾性部材の数は、弾性部材がコイルスプリングである場合には図２のように４本に限定されることはなく、操作者の凝り及び痛みの程度に応じて弾性部材の数、すなわち関節部を牽引する力を調整できれば良い。
【００３４】
図３（Ａ）〜（Ｃ）には、身体係止部材の変形例を示す。なお、図１に示す身体牽引器具１ａと共通している部材には同一の番号を付している。
【００３５】
図３（Ａ）に示す身体係止部材４Ａは、円柱形状を有している。詳しく言うと、前記身体係止部材４Ａは硬質材料から成る芯材１１と芯材１１を被覆する柔軟性部材１２とを備えている。柔軟性部材１２は、上述した樹脂組成物が発泡した発泡体又は紡績繊維等の柔軟性を有する材料からなるのが好ましい。該身体係止部材４Ａは、身体を係止する箇所が柔軟性部材１２から成るので、身体を係止しても身体係止部材４Ａが身体の当接している箇所の血流を妨げ難く、関節部等の凝り及び痛みを短時間で効率的に緩和又は解消することができる。この身体係止部材４Ａの設計変更としては、前記芯材１１及び前記柔軟性部材１２の表面を更に第３及び第４の部材が被覆する態様、並びに矩形柱形状を有する態様等を挙げることができる。
【００３６】
図３（Ｂ）に示す身体係止部材４Ｂは、二層積層体である。詳しく言うと、前記身体係止部材４Ｂは硬質材料から成る基台１３と基台１３に積み重ねられて成る柔軟性部材１２とを備えている。なお、前記身体係止部材４Ａにおける柔軟性部材１２と該身体係止部材４Ｂにおける柔軟性部材１２とは形状が相違している以外は同一の部材である。該身体係止部材４Ｂは、前記身体係止部材４Ａと同様に、身体を係止する箇所が柔軟性部材１２から成るので、身体を係止しても身体係止部材４Ｂが身体の当接している箇所の血流を妨げ難く、関節部等の凝り及び痛みを短時間で効率的に緩和又は解消することができる。この身体係止部材４Ｂの設計変更としては、前記基台１３及び前記柔軟性部材１２に、更に第３層及び第４層の部材が積層する態様等を挙げることができる。
【００３７】
図３（Ｃ）に示す身体係止部材４Ｃは、略矩形柱形状を有している。詳しく言うと、前記身体係止部材４Ｃは柔軟性部材１２から成る。なお、前記身体係止部材４Ａにおける柔軟性部材１２と該身体係止部材４Ｃにおける柔軟性部材１２とは形状が相違している以外は同一の部材である。該身体係止部材４Ｃは、前記身体係止部材４Ａ及び４Ｂと同様に、身体を係止する箇所が柔軟性部材１２から成るので、身体を係止しても身体係止部材４Ｃが身体の当接している箇所の血流を妨げ難く、関節部等の凝り及び痛みを短時間で効率的に緩和又は解消することができる。
【００３８】
図４（Ａ）〜（Ｃ）は、この発明の一実施態様である身体牽引器具の使用している状態を示す。図４（Ａ）〜（Ｃ）では、図１に示された身体牽引器具１ａを用いているが、前記基板及び身体係止部材のみを図示している。図４（Ａ）及び（Ｂ）は、操作者が図１に示す身体牽引器具１ａの基板上に仰臥し、かつ頚部を身体係止部材に係止する前後の状態を示している。また、図４（Ｃ）は、身体係止部材に足首を係止した状態を示している。
【００３９】
図４（Ａ）において示される破線の矢印は、牽引部材の牽引する力に抗して操作者が身体係止部材を牽引する力の方向を示す。図４（Ａ）の状態から身体係止部材を牽引した後、頚部を身体係止部材に係止した状態が図４（Ｂ）である。図４（Ｂ）において示される矢印は、身体係止部材が牽引部材の牽引する力によって牽引される方向を示す。また、図４（Ｃ）における矢印も、身体係止部材が牽引部材の牽引する力によって牽引される方向を示す。この発明の身体牽引器具は、図４（Ｂ）及び（Ｃ）のように、身体及び関節部等が牽引されることにより、関節部等に生じている凝り及び痛みを緩和又は解消することができる。
【００４０】
この発明の身体牽引器具は、以上に示した図面に記載される態様に限定されず、この発明の目的を達成することができる限り、適宜の設計変更を行うことができる。
【図面の簡単な説明】
【００４１】
【図１】図１は、この発明の身体牽引器具の一実施例を示す斜視図である。
【図２】図２は、この発明の身体牽引器具の他の実施例を示す斜視図である。
【図３】図３は、身体係止部材の変形例を示す斜視図であり、図３（Ａ）は、棒状の身体係止部材を示す斜視図であり、図３（Ｂ）は、二層積層型の身体係止部材を示す斜視図であり、図３（Ｃ）は、略直方体の身体係止部材を示す斜視図である。
【図４】図４は、この発明の身体牽引器具の一実施態様を使用した状態を示す図であり、図４（Ａ）は、この発明の身体牽引器具の一実施態様における静置状態を示す図であり、図４（Ｂ）は、この発明の身体牽引器具の一実施態様における身体係止部材に頚部を係止した状態を示す図であり、図４（Ｃ）は、身体係止部材に足首を係止した状態を示す図である。
【符号の説明】
【００４２】
１ａ、１ｂ    身体牽引器具
２            基板
３            脚部
４ａ、４Ａ、４Ｂ、４Ｃ    身体係止部材
４ｂ          係止部
５            弾性部材
６            弾性部材取付部
７            把手
８            支持板
９            軌条部
１０          留具
１１          芯材
１２          柔軟性部材
１３          基台
【図１】
2009000168.tif 000003
【図２】
2009000168.tif 000004
【図３】
2009000168.tif 000005
【図４】
2009000168.tif 000006